(57)【要約】ローミングリストを更新するための方法および装置。システム要素内でローミングリストプロトコルに互換性がないときは、エラー処理メッセージが供給される。ネットワークが支援するプロトコルバージョンを識別するローミングリストフォーマット識別子を、遠隔のユーザに供給する。ローミングリストフォーマット識別子は、プロトコルの古いバージョンを要求するか、または遠隔のユーザに現在記憶されているフォーマットを要求する役割を果たす。１つの実施形態において、古いバージョンは、優先ローミングリストであり、新しいバージョンは、拡張優先ローミングリストである。
2005529564.tif 000002
【特許請求の範囲】
【請求項１】
第１のフォーマットのローミングリストを記憶している移動局において、ローミングリストを更新するための方法であって、
ローミングリストフォーマット識別子を受信することと、
フォーマット識別子が第１のフォーマットと互換性がないときは、エラーメッセージを送信することと、
フォーマット識別子が第１のフォーマットと互換性があるときは、第１のフォーマットの構成情報を送信することとを含む方法。
【請求項２】
構成情報が、第１のフォーマットの次元を含む請求項１記載の方法。
【請求項３】
移動局が、多数のローミングリストフォーマットを支援する請求項１記載の方法。
【請求項４】
移動局が、優先ローミングリストフォーマットおよび拡張優先ローミングリストフォーマットを支援する請求項３記載の方法。
【請求項５】
フォーマット識別子が第１のフォーマットと互換性があるときは、ローミングリストの更新を受信することをさらに含む請求項１記載の方法。
【請求項６】
ローミングリストを更新するための方法であって、
プロトコル能力情報を受信することと、
プロトコル能力情報に基づいて、ローミングリストフォーマット識別子を判断することと、
ローミングリストフォーマット識別子を含む構成要求を送信することとを含む方法。
【請求項７】
構成要求に応答して、構成情報を受信することと、
構成情報に基づいて、ローミングリストの更新のためのローミングリストフォーマットを判断することと、
ローミングリストフォーマットにおけるローミングリストの更新を送信することとをさらに含む請求項６記載の方法。
【請求項８】
構成要求が、システム選択優先ローミング（System Selection Preferred Roaming, SSPR）の構成要求である請求項６記載の方法。
【請求項９】
ローミングリストフォーマット識別子が、BLOCK IDフィールドにおいて伝送される請求項６記載の方法。
【請求項１０】
ローミングリストフォーマット識別子が、第１のバージョンのローミングリストプロトコルの第１の値である請求項６記載の方法。
【請求項１１】
ローミングリストフォーマット識別子が、第２のバージョンのローミングリストプロトコルの第２の値である請求項１０記載の方法。
【請求項１２】
ローミングリストフォーマット識別子が、第２のバージョンのローミングリストプロトコルの第２の値である請求項７記載の方法。
【請求項１３】
第１のフォーマットのローミングリストを記憶する移動局であって、
ローミングリストフォーマット識別子を受信するための手段と、
フォーマット識別子が第１のフォーマットと互換性がないときは、エラーメッセージを送信するための手段と、
フォーマット識別子が第１のフォーマットと互換性があるときは、構成情報を送信するための手段とを含む移動局。
【請求項１４】
プロトコル能力情報を受信するための手段と、
プロトコル能力情報に基づいて、ローミングリストフォーマット識別子を判断するための手段と、
ローミングリストフォーマット識別子を含む構成要求を送信するための手段とを含む無線通信インフラストラクチャ要素。
【請求項１５】
処理要素と、
ローミングリストを記憶するのに適応したメモリ記憶装置と、
処理要素およびメモリ記憶装置に接続されたローミングリスト決定装置であって、ローミングリストを記憶するためのフォーマットを判断し、かつフォーマットがネットワークフォーマット識別子と互換性がないときは、エラーメッセージの送信を開始するのに適応したローミングリスト決定装置とを含む無線通信装置。
【発明の詳細な説明】
【技術分野】
【０００１】
本発明は、概ね、無線通信システムにおいてローミングリストを処理することに関し、とくに、優先ローミングリストを更新し、かつ無線通信ネットワークと遠隔のユーザとの間の異なるプロトコルバージョンを調整することに関する。
【背景技術】
【０００２】
プロトコルは、データ通信リンクを横切る情報の送信および受信を管理する規制である。プロトコルは、異なるネットワークプロダクトが協働できることを保証する１組の標準規格に詳しく記載されている。所与のプロトコルを使用しているプロダクトは、同じプロトコルを使用している他のプロダクトと動作する。無線通信システムにおいて、プロトコルは、システムの種々のアーキテクチャ層を定めている。プロトコルおよび標準規格が改訂されると、より古いバージョンのプロトコルおよび標準規格を使用しているこれらのシステム構成要素は、より新しい能力をもつものとの互換性がなくなる。このような互換性がないことを克服するために、種々の方法が使用され、ここで、各修正はプロトコル別または標準規格別、あるいはこの両者である。
【０００３】
従来より音声が主体の通信を管理するプロトコルを拡張して、高データレートの伝送を管理すると、しばしば、互換性のない１つの領域が現れる。例えば、１つのサービスプロバイダ、すなわちホームプロバイダの遠隔のユーザは、ホームプロバイダのサービス領域外にいるとき、他のサービスプロバイダ、すなわち外部のプロバイダにアクセスする。この処理はローミングと呼ばれ、遠隔のユーザが保持しているローミングリストを使用することによって容易になる。例えば、別のサービスプロバイダと新しい関係をもつことで、リストが変わると、サービスプロバイダはローミングリストを更新する。ローミングリストのフォーマットおよびローミングリストを更新するための伝送のフォーマットは、標準規格におけるプロトコルによって特定される。高データレートサービス、すなわち他の新しいサービスを追加すると、ローミングリストのフォーマットの変更およびローミングリストを更新する方法の変更が必要になる。このようなプロトコルの改訂により、ネットワークと遠隔のユーザとの間に互換性がないといった問題が発生する。遠隔のユーザのプロトコルの改訂が、ネットワークのプロトコルと異なると、遠隔のユーザに対するローミングリストの精度および可用性が危うくなる。
【発明の開示】
【発明が解決しようとする課題】
【０００４】
したがって、無線通信システムにおいて、異なる伝送プロトコルバージョンにおける優先ローミングリストを構成し、維持し、かつ更新するための効率的な手続きが、この分野において必要とされている。
【課題を解決するための手段】
【０００５】
ここで開示される実施形態は、ローミングリストを更新するための方法および装置を提供することによって、上述の必要に対処し、ここでは、ローミングフォーマット識別子を遠隔のユーザに与えて、ネットワークが支援するプロトコルのバージョンを識別する。ローミングリストフォーマット識別子は、プロトコルの古いバージョンを要求するか、または遠隔のユーザに現在記憶されているフォーマットを要求する役割を果たす。１つの実施形態において、古いバージョンは、優先ローミングリストであり、新しいバージョンは、拡張優先ローミングリストである。ローミングリストのフォーマットの識別子および構成要素要求を受信するとき、遠隔のユーザは、ローミングリストのフォーマットの識別子を受信し、フォーマットの識別子が、遠隔のユーザが現在使用しているプロトコルバージョンと互換性がないときは、エラーメッセージを送信する。同様に、フォーマット識別子が、遠隔のユーザが使用しているプロトコルバージョンと互換性があるときは、遠隔のユーザは構成情報を送信する。システム要素内でローミングリストプロトコルに互換性がないときは、エラー処理メッセージが供給される。
【発明を実施するための最良の形態】
【０００６】
ここでは、“例示的”という用語を、“例、実例、または例示としての役割を果たす”ことを意味するために使用している。ここに“例示的”として記載されている実施形態は、必ずしも、他の実施形態よりも好ましい、または優れていると解釈されるとは限らない。
【０００７】
無線通信システムは、音声、データ、等のような種々のタイプの通信を供給するように広く展開されている。これらのシステムは、符号分割多元接続（Code Division-Multiple Access, CDMA）、時分割多元接続（Time Division Multiple Access, TDMA）、または他の変調技術に基づく。ＣＤＭＡシステムは、他のタイプのシステムよりも、システム容量が増加したことを含めて、ある特定の長所を備えている。
【０００８】
ＣＤＭＡシステムは、（１）“TIA/EIA-95-B Mobile Station-Base Station Compatibility Standard for Dual-Mode Wideband Spread Spectrum Cellular System”(IS-95 標準規格)、（２）“第三世代パートナーシッププロジェクト（3rd Generation Partnership Project, 3GPP）”という名称の協会によって示され、かつ文献番号第3G TS 25.211号、第3G TS 25.212号、第3G TS 25.213号、第3G TS 25.214号を含む１組の文献において具体化されている標準規格（W-CDMA標準規格）、（３）“第三世代パートナーシッププロジェクト ２（3rd Generation Partnership Project 2, 3GPP2）”という名称の協会によって提供され、かつ“C.S0002-A Physical Layer Standard for cdma2000 Spread Spectrum Systems”、“C.S0005-A Upper Layer (Layer 3) Signaling Standard for cdma2000 Spread Spectrum Systems”、および“C.S0024 cdma2000 High Rate Packet Data Air Interface Specification”を含む１組の文献において具体化されている標準規格(CDMA 2000標準規格)、および（４）“TIA/EIA-IS-856 CDMA2000 High Rate Packet Data Air Interface Specification”(IS-856標準規格)、および（５）いくつかの他の標準規格のような、１つ以上のＣＤＭＡの標準規格を支援するように設計される。
【０００９】
セルラ通信システムは、一般に、セルラプロバイダとサービス協定をもつ。セルラプロバイダが動作するシステムは、限られた地理的領域をカバーする。ユーザが、この地理的領域外を移動するときは、別のシステムオペレータが、ローミング協定のもとでサービスを提供してもよい。個々の地理的領域内には、しばしば、２つ以上のサービスプロバイダがあり、したがって、ユーザは、何れのサービスプロバイダを用いるかを選択して、ロームする。セルラ通信システムが普及すると、セルラシステムのネットワークは、共通のサービスプロバイダのもとで、またはサービスプロバイダ間の契約上の協定を用いて編成される。ユーザが、このような協定に関与するシステム間を移動するとき、ローミング料金は最小化または不要にされる。したがって、現在の移動局は、多くの場合に、優先ローミングリスト（Preferred Roaming List, PRL）を使用する。ＰＲＬは、ローミングのための優先システムに関する情報、およびその移動局との通信に必要な種々のパラメータを含む。サービスを開始するときに、ＰＲＬは、移動局において予めプログラムされている。その代りに、ＰＲＬは、空中データ転送でプログラムすることもできる。このようなプログラミングは、“TIA/EIA-683-B Over-the-Air Service Provisioning of Mobile Station in Spread Spectrum Systems”、すなわち、上述の無線通信システムと互換性がある標準規格に記載されている。
【００１０】
図１は、多数のユーザを支援し、かつ本発明の種々の態様を実行することができる１つの実施形態にしたがう無線通信システム100の図である。システム100は、１つ以上のＣＤＭＡ標準規格または設計、あるいはこの両者（例えば、W-CDMA標準規格、IS-95標準規格、cdma2000標準規格、IS-856標準規格）を支援するように設計されている。簡潔化のために、システム100において、３つの基地局104が２つの移動局106と通信していることが示されている。基地局およびその地理的領域は、まとめて“セル”と呼ぶことが多い。ＩＳ−９５システムでは、セルは、１つ以上のセクターを含む。Ｗ−ＣＤＭＡの仕様では、基地局の各セクターおよびセクターの他の受信可能領域を、セルと呼ぶ。ここに使用されているように、基地局という用語を、アクセスポイントという用語と同義で使用することができる。移動局という用語を、ユーザ装置（user equipment, UE）、加入者装置、加入者局、アクセス端末、遠隔局、またはこの分野において知られている他の対応する用語と同義で使用することができる。移動局という用語は、固定の無線応用を含む。
【００１１】
実行されるＣＤＭＡシステムに依存して、各移動局106は、移動局がソフトハンドオフされるかどうかに依存して、所与の瞬間に、順方向リンク上で１つ（または、それ以上）の基地局104と通信し、逆方向リンク上で１つ以上の基地局と通信する。順方向リンク（すなわち、ダウンリンク）は、基地局から移動局への伝送を指し、逆方向リンク（すなわち、アップリンク）は、移動局から基地局への伝送を指す。ここでは、“例示的”という用語は、“例、実例、または例示としての役割を果たす”ことを意味するためにのみ使用されている。ここに“例示的”として記載されている実施形態は、必ずしも、他の実施形態よりも好ましい、または優れていると解釈されるとは限らない。
【００１２】
図２ないし５は、種々の構成のためのローミングリストの更新を示している。これらの例において、システムは、ＩＳ−６８３−Ｂに詳しく記載されているプロトコルを支援し、プロトコルのより新しいバージョンを支援する。例えば、拡張ＰＲＬは、ＰＲＬの新しいバージョンとして支援される。拡張ＰＲＬは、ＰＲＬが支援する情報に加えて、高データレートサービスに使用される情報を含む。拡張ＰＲＬは、他の通信システムに拡張可能である。
【００１３】
図２は、遠隔装置または移動局（Mobile Station, MS）と、空中サービス供給機能（Over-The-Air service provisioning Function, OTAF）として識別されるネットワークとの両者が、古いバージョンの優先ローミングリスト（ＰＲＬ）を支援する呼処理を示す。ＯＴＡＦは、基地局（Base Station, BS）または基地局制御装置（Base Station Controller, BSC）のような、ネットワークインフラストラクチャ要素である。簡潔化のために、古いバージョンを“ＰＲＬ”と呼び、一方で新しいバージョンを“Ｅ−ＰＲＬ”と呼ぶ。他の実施形態では、種々の命名規則を実行し、ローミングリストのより新しいバージョンから前のバージョンを識別することに注意すべきである。同様に、他の実施形態では、２つ以上のバージョンを実行してもよい。図２のシナリオにおいて、ＯＴＡＦは、プロトコル能力要求をＭＳへ送る。ＭＳは、応答して、ＰＲＬ支援を示す。ＯＴＡＦは、優先ローミングリストのためのシステム選択（System Selection for Preferred Roaming List, SSPR）の構成要求メッセージを送る。したがって、ＳＳＰＲ構成要求は、BLOCK IDフィールドを含む。BLOCK IDフィールドは、このメッセージにおいて要求されているパラメータブロックを識別するのに使用される。この場合に、BLOCK IDフィールドは、１６進値0x00（または、二値0000000）に設定され、古いバージョンのＰＲＬの構成、すなわち次元を要求する。ＭＳは、古いバージョンのＰＲＬのみを支援するので、ＰＲＬの構成情報で応答する。ＯＴＡＦは、ＭＳにおいてＰＲＬを更新する必要があるかどうかを判断する。必要があるときは、ＯＴＡＦは、ＭＳのメモリへ新しい情報をダウンロードする。
【００１４】
図３は、ＯＴＡＦがＥ−ＰＲＬを支援し、一方でＭＳがＰＲＬのみを支援するシナリオを示している。このシナリオにおいて、ＯＴＡＦは、ＭＳの能力を検査し、応答して、ＰＲＬに対応する0x00に設定されたBLOCK IDフィールドと共に、ＳＳＰＲ構成要求を送る。ＯＴＡＦは、ＰＲＬおよびＥ−ＰＲＬの両者を処理することができ、したがって、何れかのみを処理できるＭＳとインターフェイスできることに注意すべきである。この場合に、ＭＳはＰＲＬのみを支援することができ、したがってＯＴＡＦはＰＲＬ構成要求を要求する。ＭＳは応答し、処理は、図２に示されているように続く。
【００１５】
図４は、ＯＴＡＦがＰＲＬを支援し、一方でＭＳがＰＲＬおよびＥ−ＰＲＬの両者を支援するシナリオを示している。このシナリオにおいて、ＯＴＡＦが能力情報を要求すると、ＭＳはＰＲＬおよびＥ−ＰＲＬの両者の支援を識別する応答を送る。ＯＴＡＦは、Ｅ−ＰＲＬ情報を処理できない。ＭＳは、ＰＲＬおよびＥ−ＰＲＬの両者を支援できるが、一度に一方のみしか支援できないことに注意すべきである。次に、ＯＴＡＦは構成情報を要求する。ＭＳは、応答して、構成情報を送る。ＳＳＰＲ構成要求メッセージが、優先ローミングリストの次元パラメータブロックに対する要求（BLOCK ID＝‘00000000’）を含むとき、および移動局が、‘00000011’以上のSSPR P REVを支援して、‘00000011’以上のSSPR P REVと関係付けられた優先ローミングリストを記憶するとき、移動局はＳＳＰＲ構成応答メッセージのRESULT CODEを‘00100011’、すなわち“拒絶−ＰＲＬフォーマット不整合”へ設定する。移動局は、ゼロに設定されたBLOCK LENフィールドのパラメータブロックを含む。言い換えると、ＯＴＡＦが古いバージョンのみを支援し、一方でＭＳが新しいバージョンを支援し、かつ現在、新しいフォーマットのローミングリストを記憶しているとき、ＭＳは、ＯＴＡＦへエラーメッセージを送る。ＭＳ内に記憶されている現在のローミングリストが、ＰＲＬフォーマットであるときは、ＯＴＡＦは、ＰＲＬ構成情報を受信し、それにしたがって応答する。しかしながら、ＭＳにおける現在のローミングリストが、Ｅ−ＰＲＬフォーマットであるときは、ＯＴＡＦは、処理できない構成情報を受信する。このような問題を避けるために、この実施形態では、ＯＴＡＦは、ＳＳＰＲ構成要求を、0x00に相当するBLOCK IDと共に送り、ＯＴＡＦがＰＲＬ構成情報を受信したいことを示す。このようにして、ＭＳがＰＲＬフォーマットを記憶するときは、ＰＲＬ構成をＯＴＡＦへ送る。そうではなくて、ＭＳがＥ−ＰＲＬフォーマットを記憶しているときは、ＭＳは、ＳＳＰＲ構成応答を、エラーコードと共にＯＴＡＦへ送る。この時点で、ＯＴＡＦは、互換性の問題を知らされ、特定の実行である訂正方式を判断する。
【００１６】
図５は、ＯＴＡＦとＭＳとの両者が新しいバージョンのＥ−ＰＲＬを支援している最後のシナリオを示している。ＯＴＡＦは、ＭＳの能力を判断し、ＭＳがＰＲＬおよびＥ−ＰＲＬの両者を支援していると識別する。この時点では、ＯＴＡＦは、現在、ＭＳ内に何れのフォーマットが記憶されているかを知らない。例えば、ＭＳがＥ−ＰＲＬを支援しているときは、ＭＳはＰＲＬのみを支援しているサービスプロバイダから変更する。したがって、ＭＳにおけるローミングリストの現在のフォーマットは、ＰＲＬまたはＥ−ＰＲＬである。ＯＴＡＦは、使用可能であれば、Ｅ−ＰＲＬを更新することを望む。ＯＴＡＦは、ＳＳＰＲ構成要求メッセージ内のBLOCK IDフィールドを、0x02へ設定する。これは、ＯＴＡＦが、ローミングリストの現在のフォーマットに関するＳＳＰＲ構成情報を要求していることを、ＭＳに示している。ＭＳは、現在のフォーマットに基づいて、ＭＳ内に記憶されている構成情報、すなわちＰＲＬの次元またはＥ−ＰＲＬの次元で応答する。
【００１７】
例示的な実施形態にしたがって、新しいバージョンと古いバージョンの両者を支援しているＭＳは、拡張メモリ記憶領域を使用して、ローミングリストを記憶する。拡張メモリ記憶領域には、何れかのフォーマットが記憶される。表１は、ＭＳ内に記憶されているＥ−ＰＲＬの次元パラメータブロックを与える。拡張優先ローミングリストの次元パラメータブロックのPARAM DATAフィールドは、記載されたフィールドを含む。
【００１８】
【表１】
2005529564.tif 000003
次に示す定義は、表１に記載された種々のフィールドを説明する。
MAX PR LIST SIZE    −最大の優先ローミングリストサイズ
移動局は、このフィールドを、移動局が優先ローミングリスト（PR LISTs-p）を支援できる最大サイズ（オクテット）に設定する。
CUR PR LIST SIZE    −現在の優先ローミングリストサイズ
移動局は、このフィールドを、現在の優先ローミングリストのサイズ（オクテット）に設定する。
PR LIST ID    −優先ローミングリスト識別
移動局は、このフィールドを、基地局によって優先ローミングリスト（PR LISTs-p）に割り当てられた優先ローミングリスト識別の値に設定する。
CUR SSPR P REV    −移動局の現在の優先ローミングリストのプロトコルの改訂
移動局は、このフィールドを、現在の優先ローミングリストと関係付けられたSSPR P REVの値に設定する。
RESERVED    −確保されたビット
移動局はこのフィールドを‘０’に設定する。
NUM ACQ RECS    −収集記録値
移動局は、このフィールドを、現在の優先ローミングリストのACQ TABLEフィールド内に含まれる収集記録値に設定する。
NUM SYS RECS    −システム記録値
移動局は、このフィールドを、現在の優先ローミングリストのSYS TABLEフィールド内に含まれるシステム記録値に設定する。
NUM COMMON SUBBET RECS    −共通のサブネット表内の記録値
このフィールドは、共通のサブネット表内に含まれる記録値に設定される。
NUM EXT SYS RECS    −拡張システム記録値
移動局は、このフィールドを、現在の優先ローミングリストのEXT SYS TABLEフィールド内に含まれる拡張システム記録値に設定する。
【００１９】
図６は、１つの実施形態にしたがってローミングリストを更新するための処理を示すフローチャートである。示されているように、処理400は、ステップ402においてＭＳが能力要求メッセージを受信することによって始まる。ステップ404において、ＭＳは、能力情報を送ることによって応答する。ステップ406では、ＭＳは、ＯＴＡＦから構成要求メッセージを受信する。構成要求メッセージは、BLOCK IDフィールドを含む。決定ダイヤモンド408において、ＭＳは、BLOCK IDフィールドの値に基づいて、適切な応答を判断する。ＯＴＡＦが、ＭＳが現在ローミングリストとして使用しているフォーマットについての現在の情報を要求すると、処理は続いてステップ410へ進む。ＭＳは、記憶している現在のローミングリストの構成情報を送る。BLOCK IDがＰＲＬ構成情報を要求し、かつＭＳがＥ−ＰＲＬを支援しないときは、処理は、続いてステップ416へ進み、ＰＲＬ構成情報をＯＴＡＦへ送る。BLOCK IDがＰＲＬ構成情報を要求し、かつＭＳがＥ−ＰＲＬを支援するときは、ＭＳは、現在ローミングリストが記憶されているフォーマット（ＰＲＬまたはＥ−ＰＲＬ）を判断する。リストがＰＲＬフォーマットに記憶されているときは、処理は続いて、ステップ416へ進む。そうではなくて、リストがＥ−ＰＲＬフォーマットで記憶されているときは、処理は続いて、ステップ418へ進み、応答メッセージをエラーコードと共にＯＴＡＦへ送る。
【００２０】
図７は、移動体500の実施形態を示している。分かり易くするために、構成要素の１つのサブセットのみを示している。信号は、アンテナ510において受信され、受信機520へ伝送され、受信機520では、増幅、ダウンコンバージョン、サンプリング、および復調が行われる。この分野において、ＣＤＭＡ信号を受信するための種々の技術が知られている。さらに加えて、ＣＤＭＡに基づく原理以外の、本発明の原理は、エアーインターフェイスを導入した無線通信システムに同様に適用される。受信機520は、中央処理装置（central processing unit, CPU）530と通信している。ＣＰＵ530は、ディジタル信号プロセッサ（digital signal processor, DSP）、またはこの分野において知られている種々のプロセッサの1つであってもよい。ＣＰＵ530は、メモリ540と通信し、メモリ540はローミングリスト560を含む。ローミングリスト560は、アンテナ510および受信機520と関連して、空中プログラミングによってプログラムすることができ、ローミングリストのデータは、ＣＰＵ530への他の入力（図示されていない）から入力される。ＣＰＵ530は、送信機550へも接続され、送信機550は、この分野において知られている送信技術を使用して、メッセージ、データ、等を伝送する。送信機550はアンテナ510に接続され、アンテナ510から、基地局104のような基地局へ送信される。移動局がローミングしているとき、アンテナ510と共に、受信機520および送信機550を使用して、ローミングリスト560において識別される１つ以上のシステムと通信することができる。移動体500は、ＰＲＬおよびＥ−ＰＲＬの両者を支援するハイブリッド装置である。加えて、ＰＲＬのメモリ記憶位置560を使用して、Ｅ−ＰＲＬ情報も記憶できる。ローミングリスト決定装置570は、既に記載したBLOCK ID内に含まれている情報のような、ローミングリストフォーマット識別子を受信する。ローミングリスト決定装置570は、図６の処理に詳しく記載されているように、適切な応答を判断する。また、ローミングリスト決定装置570は、ローミングリスト560内のローミングリスト記憶装置を制御する。ローミングリスト決定装置570は、構成情報をＣＰＵ530へ供給し、送信される。
【００２１】
当業者には、種々の異なる技術および技能を使用して、情報および信号が表わされることが分かるであろう。例えば、上述で全体的に参照されるデータ、命令、コマンド、情報、信号、シンボル、およびチップは、電圧、電流、電磁波、磁界または粒子、光の界または粒子、あるいはその組み合わせによって適切に表わされる。
【００２２】
当業者には、ここに開示されている実施形態に関係して記載された種々の例示的な論理ブロック、モジュール、回路、およびアルゴリズムのステップが、電子ハードウエア、コンピュータソフトウエア、またはこの両者の組合せとして実行されることも分かるであろう。ハードウエアとソフトウエアとのこの互換性を明らかに示すために、種々の例示的な構成要素、ブロック、モジュール、回路、およびステップを、上述で全体的に機能に関して概ね記載した。このような機能が、ハードウエアとして実行されるか、またはソフトウエアとして実行されるかは、全体的なシステムに課された個々の応用および設計上の制約に依存する。熟練した技能をもつ者は、各個々の応用ごとに種々のやり方で上述の機能を実行するが、このような実行の決定は、本発明の技術的範囲から逸脱すると解釈すべきではない。
【００２３】
ここに開示されている実施形態に関係して記載された種々の例示的な論理ブロック、モジュール、および回路は、汎用処理装置、ディジタル信号処理装置（digital signal processor, DSP）、特定用途向け集積回路（application specific integrated circuit, ASIC）、フィールドプログラマブルゲートアレイ（field programmable gate array, FPGA）または他のプログラマブル論理装置、ディスクリートなゲートまたはトランジスタ論理、ディスクリートなハードウエア構成要素、あるいはここに記載されている機能を実行するように設計された組合せで構成または実行される。汎用処理装置は、マイクロプロセッサであってもよいが、その代わりに、処理装置は、従来の処理装置、制御装置、マイクロ制御装置、または状態機械であってもよい。処理装置は、計算機の組合せ、例えば、１つのＤＳＰと１つのマイクロプロセッサとの組合せ、複数のマイクロプロセッサ、１つ以上のマイクロプロセッサと１つのＤＳＰのコアとの組み合わせ、または他のこのような構成としても実行される。
【００２４】
ここに開示されている実施形態に関係して記載された方法またはアルゴリズムのステップは、ハードウエアにおいて、処理装置によって実行されるソフトウエアモジュールにおいて、または２つの組み合わせにおいて直接に具体化される。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、またはこの技術において知られている記憶媒体の他の形態の中にあってもよい。例示的な記憶媒体は、処理装置に接続され、処理装置は、記憶媒体から情報を読み出し、かつ記憶媒体へ情報を書き込んでもよい。その代りに、記憶媒体は、処理装置と一体構成であってもよい。処理装置および記憶媒体は、ＡＳＩＣの中にあってもよい。ＡＳＩＣは、ユーザ端末の中にあってもよい。その代りに、処理装置および記憶媒体は、ディスクリートな構成要素として、ユーザ端末の中にあってもよい。
【００２５】
開示された実施形態についてのこれまでの記述は、当業者が本発明を作成または使用できるようにするために与えられている。当業者には、これらの実施形態に対する種々の変更は容易に明らかであり、ここに定められている一般的な原理は、本発明の意図および技術的範囲から逸脱しないならば、他の実施形態に適用してもよい。したがって、本発明は、ここに示された実施形態に制限されることを意図されず、ここに開示された原理および新奇な特徴に一致する最も幅広い範囲にしたがうことを意図されている。
【図面の簡単な説明】
【００２６】
【図１】通信システムを示す図。
【図２】遠隔のユーザとネットワークとの種々の構成のための優先ローミングリストを更新するための手続きを示すタイミング図。
【図３】遠隔のユーザとネットワークとの種々の構成についての優先ローミングリストを更新するための手続きを示すタイミング図。
【図４】遠隔のユーザとネットワークとの種々の構成についての優先ローミングリストを更新するための手続きを示すタイミング図。
【図５】遠隔のユーザとネットワークとの種々の構成についての優先ローミングリストを更新するための手続きを示すタイミング図。
【図６】優先ローミングリストを更新するための方法のフローチャート。
【図７】移動局を示す図。
【符号の説明】
【００２７】
100・・・無線通信システム、104・・・基地局、106・・・移動局、400・・・処理、500・・・移動体。
【図１】
2005529564.tif 000004
【図２】
2005529564.tif 000005
【図３】
2005529564.tif 000006
【図４】
2005529564.tif 000007
【図５】
2005529564.tif 000008
【図６】
2005529564.tif 000009
【図７】
2005529564.tif 000010
【国際調査報告】
2005529564.tif 000011
2005529564.tif 000012